(57)【要約】移動通信装置（１０６）を使用して娯楽機器（１０２）を遠隔制御するための装置および・または方法の様々な実施形態が説明される。ユーザ（１０８）は移動通信装置を使って、娯楽機器による提示のために出力されるコンテンツの再生操作を要求する情報を入力する。前記移動通信装置は前記ユーザ入力を前記娯楽機器に送信し、前記ユーザ入力の受信に応じて前記ビデオコンテンツの再生を操作する。
2011521490.tif 000002
【特許請求の範囲】
【請求項１】
移動通信装置であって、
テレビ受信機によって提示するために出力されるコンテンツの再生操作を要求するユーザ入力を受信する入力装置と、
前記移動通信装置に関する位置情報を判別するモーションディテクタと、
前記入力装置と前記モーションディテクタとに通信可能に接続され、前記ユーザ入力と前記位置情報を前記テレビ受信機と互換性のあるコマンドに変換するプロセッサと、
前記コマンドを前記テレビ受信機であって、前記コマンドを使用してメニュー上にカーソルを出力し、前記テレビ受信機に通信可能に接続された表示装置上において前記コンテンツの再生を操作する前記テレビ受信機に送信する無線送信機と、
前記テレビ受信機からデータを受信する無線受信機と、
を備え、
前記無線送信機は前記データをアプリケーションサーバーに送信する、
ことを特徴とする移動通信装置。  
【請求項２】
前記入力装置は、前記テレビ受信機のための仮想リモコンを表示するタッチスクリーンを備える、
ことを特徴とする請求項１に記載の移動通信装置。
【請求項３】
前記プロセッサは、前記テレビ受信機から前記仮想リモコンをダウンロードする、
ことを特徴とする請求項２に記載の移動通信装置。
【請求項４】
前記無線受信機は、前記テレビ受信機による提示のために出力されるメニューに関するメニュー情報を前記テレビ受信機から受信し、
前記プロセッサは、前記メニュー情報に基づいて前記仮想リモコンをカスタマイズする、
ことを特徴とする請求項２に記載の移動通信装置。
【請求項５】
前記移動通信装置は、ユーザに関する識別データを、前記コマンドに対応して前記テレビ受信機に送信し、
前記識別データは、視聴者情報を生成するために前記テレビ受信機によって使用される、
ことを特徴とする請求項１に記載の移動通信装置。
【請求項６】
テレビ受信機であって、
番組ソースからテレビ番組を受信するチューナと、
移動通信装置と無線通信し、ユーザ入力と位置情報を前記移動通信装置から受信するインターフェースモジュールと
前記チューナに通信可能に接続され、前記ユーザ入力に基づいて表示装置上において前記番組の再生を操作し、前記表示装置上において提示するためのメニューを出力し、前記位置情報に基づいて前記メニューのカーソルを生成するプロセッサと、
を備え、
前記インターフェースモジュールは前記移動通信装置にデータを送信し、前記移動通信データは前記データをアプリケーションサーバーにさらに送信する、
ことを特徴とするテレビ受信機。
【請求項７】
前記インターフェースモジュールは、前記移動通信装置による表示のために、前記移動通信装置に仮想リモコンを送信する、
ことを特徴とする請求項６に記載のテレビ受信機。
【請求項８】
前記インターフェースモジュールは前記ユーザに関する識別データを、前記コマンドに対応して前記移動通信装置から受信し、
前記プロセッサは、前記識別データに基づいて前記テレビ番組に関する視聴者情報を生成する、
ことを特徴とする請求項６に記載のテレビ受信機。
【請求項９】
前記インターフェースモジュールは前記ユーザに関する識別データを、前記コマンドに応じて前記移動通信装置から受信し、
前記プロセッサは前記識別データを使用して、前記ユーザ入力に基づいて前記ユーザのソーシャルネットワークプロフィールを付加する、
ことを特徴とする請求項６に記載のテレビ受信機。
【請求項１０】
テレビ受信機を遠隔操作する方法であって、
テレビ受信機による提示のために出力されるコンテンツの再生操作を要求するユーザ入力を、移動通信装置を介して受信することと、
前記移動通信装置に関する位置情報を判別することと、
前記ユーザ入力と前記位置情報を、前記テレビ受信機に互換するコマンドに変換することと、
前記コマンドを前記テレビ受信機であって、前記テレビ受信機は、前記コマンドを使用してメニュー上にカーソルを出力し、前記コンテンツの再生を操作する前記テレビ受信機に送信することと、
前記テレビ受信機からデータを受信することと、
前記データをアプリケーションサーバーに送信すること、
を備えることを特徴とする方法。
【請求項１１】
さらに、
前記テレビ受信機から仮想リモコンをダウンロードすることと、
前記移動通信装置のタッチスクリーン上で前記仮想リモコンを表示すること、
を備え、
前記ユーザ入力は前記タッチスクリーンを使って入力される、
ことを特徴とする請求項１０に記載の方法。
【請求項１２】
さらに、
前記テレビ受信機から更新された仮想リモコンを受信すること、
を備え、
前記仮想リモコンは、前記テレビ受信機によって出力されるメニューに対応するように更新される、
ことを特徴とする請求項１１に記載の方法。
【請求項１３】
さらに、
ユーザに関する識別データを、前記コマンドに対応して前記テレビ受信機に送信することと、
前記テレビ受信機によって生成された視聴者情報を前記識別情報に基づいて受信することと、
前記視聴者情報をアプリケーションサーバーに送信すること、
を備えることを特徴とする請求項１０に記載の方法。
【請求項１４】
表示装置上にコンテンツを提示する方法であって、
表示装置上に提示するためにコンテンツを出力することと、
移動通信装置から位置情報を受信することと、
前記表示装置上で提示するためにカーソルと共にメニューを出力することであって、前記カーソルの位置は前記位置情報に基づくことと、
前記移動通信装置からユーザ入力を受信することと、
前記ユーザ入力に基づいて前記コンテンツの再生を操作することと、
仮想リモコンであって、前記コンテンツの再生を操作するために利用可能な機能を提示する仮想リモコンを前記移動通信装置に送信すること、
を備えることを特徴とする方法。
【請求項１５】
さらに、
データを前記移動通信装置に送信することであって、前記移動通信装置は前記データをさらにアプリケーションサーバーに送信すること、
を備えることを特徴とする請求項１４に記載の方法。
【請求項１６】
さらに、
前記ユーザに関する識別データを、前記コマンドに対応して前記移動通信装置から受信することと、
前記テレビ番組に関する視聴者情報を前記識別データに基づいて生成することと、
前記視聴者情報をアプリケーションサーバーに送信すること、
を備えることを特徴とする請求項１４に記載の方法。
【請求項１７】
表示装置上にコンテンツを提示する方法であって、
表示装置上に提示するためにコンテンツを出力することと、
移動通信装置からユーザ入力を受信することと、
ユーザに関する識別データを、前記ユーザ入力に対応して前記移動通信装置から受信することと、
前記ユーザ入力に基づいて前記コンテンツの再生を操作することと、
前記ユーザ入力に基づいて、前記ユーザのソーシャルネットワークプロフィールを付加すること、
を備えることを特徴とする方法。
【請求項１８】
前記ユーザ入力に基づく前記ユーザのソーシャルネットワークプロフィールを付加することは、さらに、
前記識別データと前記ユーザ入力に基づいて、前記ユーザが頻繁に視聴するテレビ番組をリストアップすることと、
前記テレビ番組のリストと共に前記ソーシャルネットワークプロフィールを付加すること、
を備えることを特徴とする請求項１７に記載の方法。
【請求項１９】
前記ユーザ入力に基づく前記ユーザのソーシャルネットワークプロフィールを付加することは、さらに、
前記ユーザが現在テレビを視聴していることを示すメッセージと共に、前記ソーシャルネットワークプロフィールを付加すること、
を備えることを特徴とする請求項１７に記載の方法。
【請求項２０】
娯楽機器による提示コンテンツを出力する方法であって、
前記娯楽機器において、移動通信装置からユーザ入力であって、前記娯楽機器による提示コンテンツの出力を要求するユーザ入力を受信することと、
前記娯楽機器において、前記移動装置から識別データであって、前記移動通信装置の前記ユーザに関する識別データを受信することと、
前記娯楽機器において、前記識別データに基づいてユーザを認証することと、
前記ユーザの認証に応じて、前記ユーザ入力に基づいて提示装置上で提示するために前記提示コンテンツを出力すること、
を備えることを特徴とする方法。
【請求項２１】
前記ユーザを認証することは、さらに
前記娯楽機器において、前記娯楽機器のロックされた提示コンテンツにアクセスするために、前記識別データに基づいて前記ユーザを認証すること、
を備えることを特徴とする請求項２０に記載の方法。
【請求項２２】
前記ロックされた提示コンテンツは、前記娯楽機器にストリーミングされるオン・デマンドビデオを含む、
ことを特徴とする請求項２１に記載の方法。
【請求項２３】
前記ロックされた提示コンテンツは、前記娯楽機器に保存されたビデオを含む、
ことを特徴とする請求項２１に記載の方法。
【請求項２４】
さらに、
前記ユーザのソーシャルネットワークプロフィールを、前記ユーザ入力と前記識別データに基づいて付加すること、
を備える
ことを特徴とする請求項２０に記載の方法。
【請求項２５】
前記ユーザの認証に応じて、前記提示コンテンツに関して視聴者情報を生成する、
ことを特徴とする請求項２０に記載の方法。
【請求項２６】
前記識別データを前記アプリケーションサーバーに送信することは、
さらに
前記娯楽機器において、前記ユーザ入力と前記識別データに基づいて要求を生成することと、
前記娯楽機器から前記移動通信装置に前記要求を送信することと、
前記移動通信装置から前記アプリケーションサーバーに前記要求を送信すること、
を備えることを特徴とする請求項２０に記載の方法。
【請求項２７】
さらに、
前記識別データに基づいて、前記ロックされた提示コンテンツへのアクセスに対して前記ユーザに課金すること、
を備えることを特徴とする請求項２０に記載の方法。
【請求項２８】
娯楽機器による、ロックされた提示コンテンツを出力する方法であって、
前記娯楽機器において、ユーザ入力であって、前記娯楽機器を介して利用可能な前記ロックされた提示コンテンツの提示を要求するユーザ入力を移動通信装置から受信ことと、
前記娯楽機器において、識別データであって、前記移動通信装置のユーザに関する識別データを前記移動通信装置から受信することと、
前記識別データをアプリケーションサーバーに送信することと、
前記娯楽機器において、前記ユーザの前記ロックされた提示コンテンツへのアクセスを可能にする認証情報を前記アプリケーションサーバーから受信することと、
前記娯楽機器の前記認証情報の受信に応じて、提示装置上で提示するために前記娯楽機器から前記ロックされた提示コンテンツを出力すること
を備えることを特徴とする方法。
【請求項２９】
前記ロックされた提示コンテンツは、前記娯楽機器にストリーミングされるオン・デマンドビデオを含む、
ことを特徴とする請求項２８に記載の方法。
【請求項３０】
前記ロックされた提示コンテンツは、前記娯楽機器に保存されたビデオを含む、
ことを特徴とする請求項２８に記載の方法。
【請求項３１】
前記ロックされた提示コンテンツは、前記娯楽機器に保存されたオーディオコンテンツ含む、
ことを特徴とする請求項２８に記載の方法。
【請求項３２】
前記識別データを前記アプリケーションサーバーに送信することは、さらに
前記娯楽機器において、前記ユーザ入力と前記識別データに基づいて要求を生成することと、
前記娯楽機器から前記移動通信装置に前記要求を送信することと、
前記移動通信装置から前記アプリケーションサーバーに前記要求を送信すること、
を備えることを特徴とする請求項２８に記載の方法。
【請求項３３】
前記識別データに基づいて、前記ロックされた提示コンテンツへのアクセスに対して前記ユーザに課金する、
ことを特徴とする請求項２８に記載の方法。
【請求項３４】
娯楽機器であって、
少なくとも一つのコンテンツソースから、ロックされた提示コンテンツを受信する入力モジュールと、
移動通信装置と無線通信してユーザ入力と識別データであって、前記ロックされた提示コンテンツへのアクセスを要求するユーザ入力と前記移動通信装置の前記ユーザに関する識別データを受信するインターフェースモジュールと、
前記入力モジュールと前記インターフェースモジュールに通信可能に接続され、前記識別データに基づいてユーザを認証し、前記ユーザの認証に応じて前記ユーザ入力に基づいて、提示装置上に提示するために前記提示コンテンツを出力するプロセッサと、
を備えることを特徴とする娯楽機器。
【請求項３５】
前記ロックされた提示コンテンツは、前記娯楽機器にストリーミングされるオン・デマンドビデオを含む、
ことを特徴とする請求項３４に記載の娯楽機器。
【請求項３６】
前記ロックされた提示コンテンツは、前記娯楽機器に保存されたビデオを含む、
ことを特徴とする請求項３４に記載の娯楽機器。
【請求項３７】
前記インターフェースモジュールは、さらに、前記移動通信装置からコマンドを受信し、
前記コマンドは前記プロセッサに対し、前記ロックされた提示コンテンツの出力を操作するよう指示する、
ことを特徴とする請求項３４に記載の娯楽機器。
【請求項３８】
前記プロセッサは要求をアプリケーションサーバーに送信し、
前記要求は、前記ユーザ入力と前記識別データに基づいて、前記ユーザのソーシャルネットワークプロフィールを付加するために前記アプリケーションサーバーが使用する情報を含む、
ことを特徴とする請求項３４に記載の娯楽機器。
【請求項３９】
前記プロセッサは前記ユーザの認証に応じて、前記ユーザ入力に基づき、前記ロックされた提示コンテンツに関する視聴者情報を生成する、
ことを特徴とする請求項３４に記載の娯楽機器。
【請求項４０】
移動通信装置であって、
娯楽機器による出力に利用可能なロックされた提示コンテンツの再生を要求するユーザ入力を受信する入力装置と、
前記移動通信装置のユーザに関する識別データを保存する記憶媒体と、
前記入力装置と前記記憶媒体に通信可能に接続され、前記ユーザ入力と前記識別データを前記娯楽機器と互換性のあるコマンドに変換するプロセッサと、
前記娯楽機器であって、前記コマンドを使用して前記ユーザを認証し、提示装置上で提示するために前記ロックされた提示コンテンツを出力する前記娯楽機器に前記コマンドを送信する無線送信機と、
を備えることを特徴とする移動通信装置。
【請求項４１】
さらに、
前記ユーザが前記ロックされた提示コンテンツにアクセスするために認証を要求する前記娯楽機器からの要求を受信する無線受信機と、
を備え、
前記無線送信機は前記要求をアプリケーションサーバーに送信し、
前記無線受信機は、前記要求に応じて前記アプリケーションサーバーから認証レスポンスを受信し、
前記無線送信機は、前記認証レスポンスを前記娯楽機器に送信する、
ことを特徴とする請求項４０に記載の移動通信装置。
【請求項４２】
さらに、
前記娯楽機器から要求であって、前記ユーザ入力に基づいて前記ユーザのソーシャルネットワークプロフィールを付加するためにアプリケーションサーバーによって使用される情報を含む要求を受信する無線受信機と、
を備え、
前記無線送信機は前記要求を前記アプリケーションサーバーに送信する、
ことを特徴とする請求項４０に記載の移動通信装置。
【請求項４３】
さらに、
視聴者情報を前記娯楽機器から受信する無線受信機と、
を備え、
前記視聴者情報は前記コマンドに基づいて前記娯楽機器によって生成され、
前記無線送信機は前記視聴者情報を前記アプリケーションサーバーに送信する、
ことを特徴とする請求項４０に記載の移動通信装置。
【発明の詳細な説明】
【技術分野】
【０００１】
平均的な家庭においては、それぞれが別個のリモートコントロール（リモコン）によって遠隔操作される種々の娯楽機器を所有している。従って、ユーザは、オーディオおよび／またはビデオコンテンツを視聴しながら度々複数のリモコンに気を配らなければならない。これは多くのユーザにとって問題であった。また、現代のビデオ視聴システムは非常に複雑になってきているので、多くのユーザは娯楽機器をそれぞれのリモコンなしに制御することができない。しかし、リモコンはうっかり置き忘れられることが多いので、ユーザにとって、リモコンによって提供される進化したナビゲーションツールを使わずにビデオ視聴システムを操作することは難しくなった。
【発明の概要】
【発明が解決しようとする課題】
【０００２】
原文に記載無し。
【図面の簡単な説明】
【０００３】
全図において、同一の参照番号は同一のエレメント、または同じ種類のエレメントを示している。
【０００４】
【図１】娯楽システムの実施形態を示す図である。
【図２】通信システムの実施形態を示す図である。
【図３】通信システムの実施形態を示す図である。
【図４】図２の移動通信装置の実施形態を示す図である。
【図５】図２の移動通信装置の実施例を示す図である。
【図６】図３の移動通信装置の実施形態を示す図である。
【図７】図３の娯楽機器の実施形態を示す図である。
【図８】娯楽機器を遠隔操作する処理の実施形態を示す図である。
【図９】表示装置にコンテンツを提示する処理の実施形態を示す図である。
【図１０】視聴データに基づいた、ユーザのソーシャルネットワークプロフィールを付加する処理の実施形態を示す図である。
【図１１】ビデオ番組に関する視聴者情報を収集する処理の実施形態を示す図である。
【図１２】娯楽機器によって提示されるコンテンツを出力する処理の実施形態を示す図である。
【図１３】娯楽機器によって、ロックされた提示コンテンツを出力する処理の実施形態を示す図である。
【発明を実施するための最良の形態】
【０００５】
本明細書中で説明した種々の実施形態は、一つ以上の通信メディア（またはネットワーク）を介して一つ以上のソースから一人以上のエンドユーザに対して提示するための一つ以上の通信装置へのコンテンツの受信、処理、出力および通信を容易にする装置、システムおよび方法を提供する。さらに詳しくは、本明細書中で説明した実施形態は、移動通信装置を使用して娯楽機器によるコンテンツの提示の制御を容易にする装置、システムおよび方法を提供する。すなわち、記載される実施形態は、移動通信装置を使用して娯楽機器を遠隔制御する装置、システムおよび／または方法を提供する。
【０００６】
少なくとも一つの実施形態において、受信、処理、出力および／または通信されるだろうコンテンツは、オーディオ、ビデオ、データ、情報等の様々な形態となっても良いが、これらの形態に限られるものではない。また、制御されるだろう娯楽機器は、オーディオ、ビデオおよび・またはオーディオ／ビデオ（Ａ／Ｖ）コンテンツを提示することのできる如何なる装置も含んでよい。尚、コンテンツは、無線放送、衛星またはケーブルテレビ配信システム、デジタルビデオディスク（ＤＶＤ）または他の光ディスク、インターネットまたは他の通信ネットワーク等、如何なるソースからでも提供されてよいことは認識されよう。
【０００７】
ユーザは移動通信装置（例えば、携帯電話、パーソナル・デジタル・アシスタント（ＰＤＡ）等）を使用して、娯楽機器によるコンテンツの出力と提示を無線で制御する。つまり、移動通信装置は、娯楽機器のためのリモコンとして動作する。ユーザは移動通信装置にコマンドを入力し、それらのコマンドは娯楽機器に送信される。コマンドの送信に応じて、娯楽機器はコマンドを処理し、結果的に提示コンテンツの出力を操作する。少なくとも一つの実施形態において、移動通信装置は、娯楽機器または娯楽機器に通信可能に接続された他の装置においてユーザを認証するために使用される、ユーザに関する識別情報を娯楽機器に送信する。これによりユーザは、娯楽機器によって提示されるコンテンツにアクセスするために、暗証番号（ＰＩＮ）、ユーザネーム／パスワード、アクセスコード等の識別情報を繰り返し手入力する必要がなくなる。
【０００８】
図１は娯楽システム１００の実施形態を示す。娯楽システム１００は、ユーザ１０８にコンテンツを提示する。少なくとも一つの実施形態において、ユーザ１０８に提示されるコンテンツは、ＴＶ番組、映画または他の録画されたコンテンツなどのビデオストリーム等を含む。娯楽システム１００は、娯楽機器１０２、コンテンツソース１０４、および移動通信装置１０６を含む。これらの構成要素はそれぞれ、後に更に詳述する。娯楽システム１００は、簡単のため図示されない他の装置、構成要素またはエレメントを含んでよい。
【０００９】
娯楽機器１０２は、一つ以上のコンテンツソース１０４からコンテンツを受信し、受信したコンテンツをユーザ１０８に提示するように動作可能である。少なくとも一つの実施形態において、娯楽機器１０２はコンテンツをユーザ１０８に対して表示するよう構成された表示装置である。娯楽機器１０２は、如何なるフォーマット（例えばアナログまたはデジタルフォーマット）のビデオストリームを受信してもよく、受信したビデオストリームをユーザ１０８に提示してよい。娯楽機器１０２はさらに、娯楽機器１０２によるコンテンツの提示の制御をユーザ１０８ができるようにメニューと他の情報を表示するよう構成してよい。他の実施形態において、娯楽機器１０２はセットトップボックス（例えば衛星またはケーブルＴＶコンバータボックス）、デジタルビデオレコーダ（ＤＶＲ）、または一つ以上のオーディオおよび／またはビデオ出力ストリームを処理しユーザ１０８に提示するために表示装置に提供する他の装置である。尚、娯楽機器１０２は表示装置とセットトップボックス、デジタルビデオレコーダ(ＤＶＲ)等の機能を統合した装置として実現されてよいことは認識されよう。
【００１０】
コンテンツソース１０４は、ビデオストリーム等の提示データを娯楽機器１０２に提供するよう構成された如何なるシステムまたは装置も備えてよい。コンテンツソース１０４は娯楽機器１０２に外付けされてもよいし、内蔵されてもよい。娯楽機器１０２およびコンテンツソース１０４は、如何なるタイプの有線または無線接続、通信ネットワーク等を介して通信可能に接続されてもよい。コンテンツソースは、例えば、ＴＶ配信システム（例えば無線配信システム、ケーブルＴＶ配信システム、衛星ＴＶ配信システムおよびブロードバンド配信システム）、ＤＶＤプレーヤーと他の光ディスクプレーヤー、デジタル記憶媒体（例えばＤＶＲ）およびインターネットを含む。
【００１１】
移動通信装置１０６は、通信サービスをユーザ１０８に提供するよう構成された如何なるシステムまたは装置を備えてよい。移動通信装置１０６によって提供される通信サービスは、音声、データおよび／またはビデオサービスを含む。移動通信装置１０６は、如何なるタイプの通信メディアまたはプロトコルを使って通信してもよい。例えば、移動通信装置１０６は、無線（ＲＦ）通信リンクを介して、（図１に図示されない）通信ネットワークと無線通信してよい。少なくとも一つの実施形態において、移動通信装置１０６は、携帯電話ネットワークを介して通信する無線電話機である。
【００１２】
移動通信装置１０６はさらに、娯楽機器１０２と無線通信するよう構成される。移動通信装置１０６および娯楽機器１０２は、例えばＲＦまたは赤外線（ＩＲ）通信リンクなどの如何なるタイプの無線通信リンクを介して通信してもよい。さらに詳しくは、移動通信装置１０６は、娯楽機器によるコンテンツの提示を制御するよう要求するユーザ入力を受信し、そのユーザ入力を処理のために娯楽機器１０２に送信する。移動通信装置１０６からのユーザ入力および／または他の情報の受信に応じて、娯楽機器１０２は娯楽機器１０２によるコンテンツの提示を修正する。
【００１３】
図２は通信システム２００の実施形態を示す。通信システム２００は、コンテンツをユーザ１０８に提供するよう構成される。通信システム２００は、娯楽機器１０２Ａ、コンテンツソース１０４、移動通信装置１０６Ａ、無線ネットワーク２０２、およびアプリケーションサーバー２０４を含む。これらの構成要素はそれぞれ、後に更に詳述する。図１に共通の構成要素の説明は簡単のためここでは省略する。さらに、通信システム２００は、簡単のため図示されない他の構成要素、装置またはエレメントを含んでよい。
【００１４】
移動通信装置１０６Ａは、無線ネットワーク２０２を介してアプリケーションサーバー２０４と無線通信するよう構成される。少なくとも一つの実施形態において、移動通信装置１０６Ａは娯楽機器１０２Ａからデータを受信し、そのデータを無線ネットワーク２０２０を介してアプリケーションサーバー２０４に送信する。娯楽機器１０２Ａは、アプリケーションサーバー２０４に送信するための如何なるタイプのデータも移動通信装置１０６Ａに提供してよい。娯楽機器１０２Ａからアプリケーションサーバー２０４に送信されるデータは、例えば、ペイ・パー・ビュー（ＰＰＶ）注文情報、娯楽機器に関するエラーおよび診断レポート、対話型ＴＶ情報（例えば画面上のプロンプトに対するユーザレスポンス）、視聴者情報、オーディオおよびビデオチャットデータ、調査データ、ならびにユーザが作成したコンテンツを含む。少なくとも一つの実施形態において、アプリケーションサーバー２０４はまた、移動通信装置１０６Ａを介してデータを娯楽機器１０２Ａに送信してよい。例えば、アプリケーションサーバー２０４は、友人リスト、ソーシャルネットワークプロフィール、番組ガイド、ビデオ番組、更新済みファームウェア等を娯楽機器１０２Ａに提供してよい。
【００１５】
アプリケーションサーバー２０４は、娯楽機器１０２および他のシステムと装置によっておよびその間でコンテンツを受信、生成、通信するように動作可能である。少なくとも一つの実施形態において、アプリケーションサーバー２０４は認証要求、動作状態および診断レポート、ペイ・パー・ビュー（ＰＰＶ）注文情報、視聴者（デモグラフィック）情報、ソーシャルネットワークプロフィールの更新等を娯楽機器１０２Ａから受信し、さらに所望の設計基準に従って受信データを処理するように動作可能である。例えば、ＰＰＶ映画等のロックされた提示コンテンツへのユーザアクセスを要求する認証要求を娯楽機器１０２Ａから受信してよい。娯楽機器１０２から受信したＰＰＶ注文情報は、それが認証要求の一部であろうがセットトップボックスからの収集情報の一部であろうが、使用されてユーザ１０８への課金を生成してよい。動作状態および診断情報を使用して、娯楽機器１０２Ａに伴う個々のまたは製品全体に関わる問題を識別してよい。少なくとも一つの実施形態において、アプリケーションサーバー２０４は、動作状態および診断情報の処理に応答して、娯楽機器１０２Ａにファームウェアまたはソフトウェアのアップデートを送信してよい。
【００１６】
少なくとも一つの実施形態において、アプリケーションサーバー２０４は、移動通信装置１０６Ａを介して娯楽機器１０２Ａから視聴者情報を受信するように動作可能である。視聴者情報の生成に関しては後に更に詳述する。いくつかの実施形態において、アプリケーションサーバー２０４は娯楽機器１０２Ａからデータを受信して処理し、応答的にユーザ１０８に関する友人リスト、ソーシャルネットワークプロフィール等を付加し（登録し、ポピュレートし）および／または更新する。尚、移動通信装置１０６Ａは、所望の設計基準に従って、娯楽機器１０２Ａからアプリケーションサーバー２０４に送信される如何なるタイプのデータのバックチャンネルとして動作してもよいことは認識されよう。
【００１７】
図３は、通信システム３００の実施形態を示す。通信システム３００は、コンテンツをユーザ１０８に提示するよう構成される。コンテンツ通信システム３００は、娯楽機器１０２Ｂ、コンテンツソース１０４、移動通信装置１０６Ｂ、送信ネットワーク３０２、およびアプリケーションサーバー２０４Ａを含む。これらの構成要素はそれぞれ、後に更に詳述する。図１および２に共通の構成要素の説明は簡単のためここでは省略する。また、通信システム３００は、簡単のため図示されない他の構成要素、装置またはエレメントを含んでよい。
【００１８】
娯楽機器１０２Ｂは、送信ネットワーク３０２を介してアプリケーションサーバー２０４Ａと通信するよう構成される。少なくとも一つの実施形態において、娯楽機器１０２Ｂとアプリケーションサーバー２０４Ａはまた、インターネット接続または他のタイプのローカルエリアネットワーク（ＬＡＮ）またはワイドエリアネットワーク（ＷＡＮ）を介して通信を行う。少なくとも一つの実施形態において、アプリケーションサーバー２０４Ａは、娯楽機器１０２Ｂを介してデータを移動通信装置１０６Ｂに送信してもよい。例えば、アプリケーションサーバー２０４Ａは、移動通信装置１０６Ｂにさらに送信され移動通信装置１０６Ｂ上でユーザに提示される友人リスト、ソーシャルネットワークプロフィール、番組ガイド、ビデオ番組等を娯楽機器１０２Ｂに提供してよい。
【００１９】
前記したように、移動通信装置１０６Ｂは娯楽機器１０２Ｂを遠隔制御するよう動作する。さらに詳しくは、移動通信装置１０６Ｂは、ユーザ１０８からの入力に応じて、娯楽機器１０２Ｂによるコンテンツの出力を操作するコマンドを提供するように動作する。少なくとも一つの実施形態において、娯楽機器１０２Ｂによって提示されるコンテンツはロックされ、認証された時にユーザ１０８のみがアクセス可能である。例えば、TV放送サービスの指定されたチャンネルのみが、親または他の指定されたユーザによってアクセスできるようにしてよい。このように、娯楽機器１０２Ｂは許可されたユーザがコンテンツを要求していると判別した時のみ、“ロックされた”または“制限された”コンテンツを提示する。
【００２０】
娯楽機器１０２Ｂは、移動通信装置１０６Ｂによって提供された情報に基づいてユーザを認証する。少なくとも一つの実施形態において、移動通信装置１０６Ｂは、娯楽機器１０２Ｂに送信される各コマンドと共に、ユーザに関する識別データを娯楽機器１０２Ｂに送信する。他の実施形態においては、移動通信装置１０６Ｂは指定されたコマンドを送信する時のみ識別データを娯楽機器１０２Ｂに送信する。例えば、移動通信装置１０６Ｂは電源オンコマンド、チャンネル変更コマンド、録画したビデオの視聴を選択するコマンド、およびコンテンツを購入するためのコマンド等の、娯楽機器１０２によって提示されたコンテンツの変更を要求するコマンドと共に識別データを送信してよい。これにより、移動通信装置１０６Ｂは、例えば消音または音量変更コマンド、トリックプレイモードコマンド、電源オフコマンド等、娯楽機器１０２Ｂによって提示されたコンテンツを変更しないコマンドと共に、識別データを娯楽機器１０２Ｂに送信しなくてよい。少なくとも一つの実施形態において、移動通信装置１０６Ｂは、照会（クエリ）に応じて娯楽機器１０２Ｂに識別データを送信する。すなわち、娯楽機器１０２Ｂは、コマンドに応じてユーザを認証するために識別データが必要な場合を判別し、ユーザをわずらわせることなく移動通信装置１０６Ｂに対して自動的に識別データを照会する（クエリする）。
【００２１】
娯楽機器１０２Ｂは、それぞれ自身の移動通信装置１０６Ｂを使用する複数のユーザによって遠隔制御されてよい。移動通信装置１０６Ｂから識別データを受信することにより、娯楽機器１０２Ｂは、どのユーザが実際にコンテンツを視聴しているかを知ることができる。このように、娯楽機器１０２Ｂは繰り返しユーザ１０８に識別情報を手入力させずに、ユーザ１０８の識別を一般的に必要とする様々な機能を実現することができる。
【００２２】
前述したように、娯楽機器１０２Ｂは、どのユーザ１０８が自身の移動通信装置１０６Ｂを使用してコマンドを娯楽機器１０２Ｂに入力するかに応じて、コンテンツの所定の種類へのアクセスを制御してよい。これにより、両親は特定のチャンネル、ペイ・パー・ビュー（PPV）またはビデオ・オン・デマンド（ＶＯＤ）コンテンツの特定の種類、両親の移動通信装置１０６Ｂを使用した時のみアクセスできる録画または保存されたコンテンツをロックしてよい。例えば、子供が自身の移動通信装置１０６Ｂを使用して娯楽機器１０２Bのコンテンツにアクセスする場合、子供はロックされたコンテンツにアクセスすることはできない。これは、移動通信装置１０６Ｂによって提供された識別データに基づいて娯楽機器１０２Ｂが子供を認証しないからである。
【００２３】
少なくとも一つの実施形態において、使用タイマーの付いたユーザアカウントが、移動通信装置１０６によって提供された識別データに基づいてアクセスされる娯楽機器１０２Ｂにおいて提供されてよい。例えば、ユーザ１０８（たとえば、子供）は、１日に１時間、１週間に１２時間、または１ヶ月に６０時間コンテンツを視聴するよう制限されてよい。このように、ユーザ１０８がコンテンツを視聴するにつれて、そのコンテンツの視聴に費やされる時間に基づいて利用時間枠が減少される。ユーザ１０８が移動通信装置１０６Ｂからのコマンドによって娯楽機器１０２Ｂの電源をオンにした場合、娯楽機器１０２Ｂは移動通信装置１０６Ｂによって提供された識別データに基づいてユーザ１０８を認証し、ユーザ１０８の利用時間枠を減少し始める。ユーザ１０８が指定された利用時間枠を超過した場合、娯楽機器１０２Ｂはコンテンツへの以降のアクセスを制限する。例えば、娯楽機器１０２Ｂの電源をオフにするか、またはユーザ１０８へのコンテンツの提示出力を停止してよい。移動通信装置１０６Ｂによって娯楽機器１０２Ｂに提供された識別データはまた、娯楽機器１０２Ｂと遠隔サーバまたは装置間の通信で使用されてよい。
【００２４】
図４は図２の移動通信装置１０６Ｃの実施形態を示す。図２に図示される通信システム２００を参照しながら図４を説明する。移動通信装置１０６Ｃは入力装置４０２、モーションディテクタ４０４、プロセッサ４０６、トランシーバ４０８、および記憶媒体４１０を含む。これらの構成要素はそれぞれ、後に更に詳述する。移動通信装置１０６Ｃは、簡単のため図示されない他の構成要素、装置またはエレメントを含んでよい。
【００２５】
入力装置４０２はユーザ１０８（図２参照）からのユーザ入力４１０を受け付けるように動作可能である。少なくとも一つの実施形態において、入力装置４０２は、無線電話で一般的に備えられるキーパッドである。ユーザはキーパッドを使ってチャンネル番号を入力し、娯楽機器１０２（図２参照）の音量を制御し、メニューを操作し、および／または娯楽機器１０２の他の機能を制御する。少なくとも一つの実施形態において、入力装置４０２は、仮想リモコンを表示するタッチスクリーンを備える。すなわち入力装置４０２は、娯楽機器１０２（図２参照）を遠隔操作するために使用するリモコンの画像を画面上に表示する。仮想リモコンは後に更に詳述する。
【００２６】
記憶媒体４１０は、移動通信装置１０６Ｃのユーザ１０８（図２参照）に関する識別データを保存する。記憶媒体４１０は、内蔵または取り外し可能なフラッシュメモリ、および他のタイプのメモリカード等の不揮発性記憶媒体の如何なる種類も含んでよい。ユーザ１０８（図２参照）に関する識別データは、例えば、暗証番号、ユーザネームおよび／またはパスワード、アクセスコードまたは電話番号を含む。尚、ユーザ１０８を認証するために、娯楽機器１０２Ａ(図２参照)は如何なる種類の識別データも使用してよいことは認識されよう。
【００２７】
モーションディテクタ４０４は、移動通信装置１０６Ｃに関する位置情報を判別するように動作可能である。位置情報は、娯楽機器１０２(図２参照)のコマンドを生成するために使用される。モーションディテクタ装置は、例えば、機械スイッチ、ジャイロスコープ、加速度計を含む。任意の数の軸間の動き、振動または加速を検出するモーションディテクタを使用してよい。例えば３要素加速度計を、ｘ、ｙ、ｚ軸に沿った加速度を検出するために使用してよい。
【００２８】
少なくとも一つの実施形態において、娯楽機器１０２は、複数の光源を発するセンサーバーを含んでよい。例えば、センサーバーは、娯楽機器１０２（図２参照）近傍の静止位置に搭載されてよい。モーションディテクタ４０４は、光源の強さと大きさを検出し測定するように動作可能である。光源の強さと大きさを計測することに応答して、モーションディテクタ４０４は、移動通信装置１０６Ｃの座標（例えば位置情報）を判別するための数学的処理を行う。移動通信装置１０６Ｃの座標および／または動きの方向を含む位置情報を使用して、娯楽機器１０２による提示のために出力されたカーソルの座標を判別してよい。
【００２９】
プロセッサ４０６は、娯楽機器１０２（図２参照）と互換性のあるコマンドを生成するように動作可能である。プロセッサ４０６は、入力装置４０２からのユーザ入力４１０、およびモーションディテクタ４０４からの位置情報を受信し、受信したユーザ入力４１０、位置情報および／または記憶媒体４０４からの識別データをコマンド４１２に変換する。少なくとも一つの実施形態において、プロセッサ４０６は、入力装置４０２上に表示された仮想リモコンの外観をカスタマイズする。例えば、娯楽機器１０２によって画面上に表示された特別なメニューに基づいて、入力装置４０２のタッチスクリーンに表示された仮想リモコンのボタンをカスタマイズしてよい。いくつかの実施形態において、プロセッサ４０６は娯楽機器１０２(図２参照)からアプリケーションサーバー２０４へのデータの送信を制御する。
【００３０】
トランシーバ４０８は、コマンド４１２等のデータを娯楽機器１０２に無線送信するように動作可能である。また、トランシーバ４０８は娯楽機器１０２からデータ４１４を受信し、さらにそのデータ４１４をアプリケーションサーバー２０４等の他の装置に送信する。トランシーバ４０８は双方向送信機能を備えるとして記述したが、移動通信装置１０６は送信のみの機能を提供する無線送信機を代わりに含んでよい。トランシーバ４０８は、ＷｉＦｉ、Ｂｌｕｅｔｏｏｔｈ、携帯通信等の如何なるタイプのＩＲまたはＲＦ通信リンクを使って動作してもよいことは認識されるであろう。少なくとも一つの実施形態において、トランシーバ４０８は複数のタイプの通信リンクを介してデータを送信するように動作可能である。例えば、トランシーバ４０８は娯楽機器１０２（図２参照）からＷｉＦｉリンクを介してデータ４１４を受信してよく、また無線ネットワーク２０２を介してアプリケーションサーバー２０４に送信するためにデータ４１４をフォーマットしなおしてよい。いくつかの実施形態において、移動通信装置１０６Ｃは、複数のタイプの通信リンクを介する受信および／または送信を扱うことのできる複数のトランシーバ、送信機および／または受信機を含んでよい。
【００３１】
当業者は、移動通信装置１０６内で動作可能に図示された様々な機能エレメント４０２〜４０８は、設計変更として、より少ない別個のエレメントに組み合わされるか、またはより多くの別個の機能エレメントに分解されてよいことを理解するであろう。このように、図４に示された特定の機能の分解は、移動通信装置１０６内のエレメントの、実現可能な機能の分解の単なる一例に過ぎない。
【００３２】
図５は図２の移動通信装置１０６Ｄの実施形態の例を示す。より詳しくは、図５は入力装置４０２Ａのタッチスクリーン上に表示された仮想リモコン５０２の実施形態を示す。仮想リモコン５０２は、娯楽機器１０２(図２参照)の遠隔制御を擬似的に行うように動作可能である。図５に示されているように、仮想リモコン５０２は、統合されたＤＶＲと共にＴＶ受信機の頻繁に使われるボタン／機能を表示する。これにより、ユーザは、娯楽機器１０２によって出力されるビデオコンテンツのチャンネル、音量または再生を制御することができる。尚、仮想リモコン５０２によって提示される機能／ボタンは、制御対象の娯楽機器１０２の機能によって変わりうることは認識されるであろう。
【００３３】
少なくとも一つの実施形態において、仮想リモコン５０２は娯楽機器１０２（図２参照）から移動通信装置１０６Ｄによってダウンロードされる。例えば、移動通信装置１０６Ｄは、移動通信装置１０６Ｄの設定処理中に仮想リモコン５０２をダウンロードしてよい。他の実施形態において、娯楽機器１０２は、娯楽機器１０２が表示する特定のメニュー、または娯楽機器１０２上で現在使用可能になっている特定の機能に応じて、更新された仮想リモコン５０２を送信してよい。例えばユーザ１０８が娯楽機器１０２上で電子番組ガイド（ＥＰＧ）を現在視聴している場合、仮想リモコン５０２をカスタマイズしてＥＰＧをエミュレートするようにし、ユーザが入力装置３０２の特定の領域をタッチして番組を選択できるようにしてよい。他の実施形態においては、仮想リモコン５０２によって表示される機能／ボタンは、ユーザ１０８がＴＶ受信機または娯楽機器１０２のＤＶＲ機能を使用しているかどうかによって変わりうる。例えば、移動通信装置１０６Ｄは複数の仮想リモコン５０２の配置を保存し、現在出力されている特定のメニューを示すメニュー情報を娯楽装置１０２から表示するために受信してよい。メニュー情報の受信に応じて、移動通信装置１０６Ｄは適切な仮想リモコン５０２の配置を選択してユーザ１０８に提示する。
【００３４】
図６は図３の移動通信装置１０６Ｅの実施形態を示す。図６を図２３に示す通信システム３００を参照しながら説明する。移動通信装置１０６Ｂは、入力装置６０２、記憶媒体６０４、プロセッサ６０６、およびトランシーバ６０８を含む。これらの構成要素はそれぞれ、後に更に詳述する。移動通信装置１０６Ｂは、簡単のため図示されない他の構成要素、装置またはエレメントを含んでよい。
【００３５】
入力装置６０２は、ユーザ１０８（図２参照）からユーザ入力６１０を受け付けるように動作可能である。入力装置６０２は入力装置４０２と同様であってよい。記憶媒体６０４は移動通信装置１０６Ｂのユーザ１０８（図３参照）に関する識別データを保存する。記憶媒体６０４は記憶媒体４０４（図４参照）と同様であってよい。プロセッサ６０６は娯楽機器１０２（図２参照）に互換性のあるコマンドを生成するように動作可能である。プロセッサ６０６は、入力装置６０２からユーザ入力６１０を受信し、ユーザ入力６１０および／または識別データをコマンド６１２に変換する。識別データはコマンド６１２に含まれるか、または照会に応じて娯楽機器１０２に別個に提供されてよい。
【００３６】
トランシーバ６０８は、コマンド６１２等のデータを娯楽機器１０２に無線送信するように動作可能である。また、トランシーバ６０８は娯楽機器１０２からデータ６１４を受信し、さらにそのデータ６１４をアプリケーションサーバー２０４等の他の装置に送信するように動作可能である。トランシーバ６０８が双方向送信機能を備えるとして説明したが、移動通信装置１０６Ｂは送信のみの機能を提供する無線送信機を代わりに含んでよいことは認識されよう。トランシーバ６０８は、ＷｉＦｉ、Ｂｌｕｅｔｏｏｔｈ、携帯通信等のＩＲまたはＲＦ通信リンクの如何なる種類を使って動作してもよい。少なくとも一つの実施形態において、トランシーバ６０８は複数のタイプの通信リンクを介してデータを送信するように動作可能である。例えば、トランシーバ６０８はＷｉＦｉリンクを介して娯楽機器１０２（図２参照）からデータ６１４を受信してよく、また無線ネットワーク６０２を介してアプリケーションサーバー２０４に送信するためにデータ６１４をフォーマットしなおしてよい。いくつかの実施形態においては、移動通信装置１０６Ｂは、複数のタイプの通信リンクを介する受信および／または送信を扱うことのできる複数のトランシーバ、送信機および／または受信機を含んでよい。
【００３７】
当業者は、移動通信装置１０６Ｅ内で動作可能に図示された様々な機能エレメント６０２〜６０８が、設計変更として、より少ない別個のエレメントに組み合わされるか、またはより多くの別個の機能エレメントに分解されてよいことを理解するであろう。このように、図６に示された特定の機能の分解は、移動通信装置１０６Ｅ内のエレメントの、実現可能な機能の分解の単なる一例である。
【００３８】
図７は図３の娯楽機器１０２Ｃの実施形態を示す。さらに詳しくは、図７はＴＶ受信機（セットトップボックス等）として実現される娯楽機器１０２を示している。尚、娯楽機器１０２は、如何なる種類のコンテンツを提示する如何なるタイプの装置も備えてよいことは認識されよう。娯楽機器１０２は入力モジュール７０２、インターフェースモジュール７０４、およびプロセッサ７０６を含む。これらの構成要素はそれぞれ、後に更に詳述する。娯楽機器１０２Ｃは簡単のため図示されない他の構成要素、装置またはエレメントを含んでよい。
【００３９】
入力モジュール７０２は提示コンテンツ、たとえばＴＶ番組７０８を受信するように動作可能である。入力モジュール７０２は、如何なる種類のＴＶ番組７０８も受信し調整するように動作可能であってよい。例えば、入力モジュール７０２は無線配信放送、直接衛星放送信号またはケーブルＴＶ信号を受信してよい。少なくとも一つの実施形態において、入力モジュール７０２は光ディスク、内蔵または外付けハードドライブ、可搬記憶デバイス（例えば汎用シリアルバス（ＵＳＢ）メモリスティック）等の記憶媒体からコンテンツを受信または取得してよい。また、入力モジュール７０２は、インターネットまたは他のタイプのデータネットワークを介して通信可能に接続された、ビデオサーバ等の外部サーバからコンテンツを受信してよい。少なくとも一つの実施形態において、ＴＶ番組７０８はロックされてよく、この結果ユーザ１０８（図３参照）が認証された時にアクセスが可能であってよい。
【００４０】
インターフェースモジュール７０４は、移動通信装置１０６（図３参照）から／にデータを無線で受信および／または送信する。インターフェースモジュール７０４は、如何なるタイプのＩＲまたはＲＦ通信リンクを使用して移動通信装置１０６と通信してもよい。少なくとも一つの実施形態において、インターフェースモジュール７０４は、移動通信装置１０６からコマンド６１２を受信し、応答的にそのコマンド６１２をプロセッサ７０６に与える。インターフェースモジュール７０４はユーザ１０８(図３参照)に関する識別データを、移動通信装置１０６からコマンド６１２の一部または別のデータ送信として（例えば照会に応じて）受信してよい。いくつかの実施形態において、インターフェースモジュール７０４はデータ６１４を受信し、応答的にアプリケーションサーバー２０４に送信するためにそのデータ６１４を移動通信装置１０６に送信する。
【００４１】
プロセッサ７０６は娯楽機器１０２（図３参照）の動作を制御するように動作可能である。少なくとも一つの実施形態において、プロセッサ７０６はＴＶ番組７０８を受信し、応答的に表示装置に提示するための出力信号を生成する。さらに、プロセッサ７０６はコマンド６１２を受信し、そのコマンドに応じてＴＶ番組７０８の再生を操作するように動作可能である。すなわち、プロセッサ７０６はコマンド６１２に応じて動作し、出力信号７１４を制御する。少なくとも一つの実施形態において、識別データに基づいて、ユーザ１０８の認証に応じて出力信号７１４が生成されてよい。いくつかの実施形態においては、識別データがプロセッサ７０６によって使用されてユーザ１０８が識別され、外部ソースに送信されるデータを生成する他の機能が実行されてよい。
【００４２】
プロセッサ７０６は、移動通信装置１０６を介してアプリケーションサーバー２０４(図３参照)に送信されるデータ６１４を生成してよい。例えば、プロセッサ７０６は娯楽機器１０２Ｃに関わる動作状態および診断情報、またはアプリケーションサーバー２０４に送信されるペイ・パー・ビュー注文情報を収集してよい。少なくとも一つの実施形態において、プロセッサ７０６はＴＶ番組７０８、コマンド６１２、ユーザ１０８に関する識別データに基づいて視聴者情報を生成する。そして視聴者情報は、アプリケーションサーバー２０４に送信される。また、プロセッサ７０６は収集された情報を使って、ソーシャルネットワークプロフィール、友人リスト、ユーザ１０８に関する他の情報を更新してよい。
【００４３】
当業者は、設計のオプションとして、娯楽機器１０２Ｃ内で動作可能に図示されている様々な機能エレメント７０２〜７０６が、より少ない別個のエレメントに組み合わされるか、またはより多くの別個の機能エレメントに分解されてよいことを理解するであろう。このように、図７に示された特定の機能の分解は、移動通信装置１０６Ａ内のエレメントの、実現可能な機能の分解の単なる一例である。
【００４４】
図８は娯楽機器を遠隔操作するための処理の実施形態を示す。より詳しくは、図８は娯楽機器によってビデオコンテンツの再生を操作するための処理を示す。図８の処理の動作は全て組み込まれる必要はないし、簡単のため図示されていない他の動作を含んでよい。
【００４５】
この処理は、娯楽機器によって提示するために出力されたコンテンツの再生操作を要求するユーザ入力の、移動通信装置を介する受信を含む（動作８０２）。この要求は、娯楽機器がコンテンツの再生を操作するために実行できるように如何なる機能も含んでよい。この機能は、例えば、チャンネル変更、音量変更、表示装置の明るさまたはコントラストの変更、ピクチャー・イン・ピクチャーモードのオン、トリックプレイモード機能（早送り、巻き戻し、一時停止等）の実行等を含む。たとえば、ユーザは移動通信装置のキーパッドを使って視聴したいチャンネルを入力したり、または録画されたコンテンツの再生を一時停止したりしてよい。いくつかの実施形態においては、ユーザ入力は、娯楽機器によって提示されるメニューの中の対話型項目の選択を含んでよい。
【００４６】
前記処理は、移動通信装置に関する位置情報の判別をさらに含む（動作８０４）。位置情報はユーザによる移動通信装置の動きに基づいて判別されてよい。加速度計、ジャイロスコープまたは他の種類のモーションディテクタを使用して、移動通信装置の動きと位置情報を検出してよい。
【００４７】
前記処理はユーザ入力と位置情報の、娯楽機器に互換性のあるコマンドへの変換をさらに含む（動作８０６)。位置情報とユーザ入力を、娯楽機器と移動通信装置間の無線通信リンクを介して送信されるIRコードまたは他のコマンドに変換されてよい。
【００４８】
前記処理は娯楽機器へのコマンドの送信をさらに含む（動作８０８）。コマンドの受信に応じて、娯楽機器はそのコマンドを使用してメニュー上にカーソルを出力し、その娯楽機器に通信可能に接続された表示装置上でのコンテンツの再生を操作する。例えば、ユーザはＥＰＧを見て視る番組を選択し、リモコンを使用して所望の番組上にカーソルを置いてよい。所望の番組上にカーソルを動かすと、ユーザは“確定（エンター）”ボタン等を使って所望の番組の視聴を選択して起動してよい。少なくとも一つの実施形態において、娯楽機器と表示装置は一つのユニットとして統合される。例えば娯楽機器は、ＴＶに組み込まれたTV受信機を備えてよい。
【００４９】
このように図８の処理の動作を実行することにより、ユーザは移動通信装置を使って娯楽機器によるコンテンツの再生を操作してよい。さらに、図８の処理は娯楽機器からのデータの受信（受け付け）、およびアプリケーションサーバーまたは他の装置あるいはシステムへのデータの送信する移動通信装置を適宜含んでよい。これにより、移動通信装置は娯楽機器のバックチャンネルとして動作し、娯楽機器の代わりに如何なる種類の情報もアプリケーションサーバー２０４に送信してよい。
【００５０】
図９は表示装置上でコンテンツを提示するための処理の実施形態を示す。さらに詳しくは、図９は位置情報、および移動通信装置から受信したユーザ入力に基づいて娯楽機器によるビデオコンテンツの再生を操作するための処理を示す。図９の処理の動作は全て含まれなくともよく、簡単のため図示されていない他の動作を含んでよい。
【００５１】
この処理は表示装置上で提示するためのコンテンツの出力を含む（動作９０２）。提示されるコンテンツは如何なる種類の画像またはビデオデータも含んでよい。表示装置がコンテンツを出力する娯楽機器（例えばセットトップボックス）とは別個である場合、娯楽機器と表示装置間の有線または無線接続を介して出力信号が転送されてよい。
【００５２】
前記処理は、移動通信装置からの位置情報の受信をさらに含む（動作９０４）。少なくとも一つの実施形態において、移動通信装置から受信する位置情報は、娯楽機器によって娯楽機器の使用に適したフォーマットに変換される。例えば、娯楽機器は、娯楽機器の出力に関連する座標系のｘ、ｙ座標に変換された信号を受信してよい。他の実施形態において、移動通信装置は位置情報に関する機能を実行し、位置情報を娯楽機器に互換性のあるフォーマットに変換してよい。例えば、移動通信装置は、移動通信装置の動きの方向を示す信号を計測し、その信号を娯楽機器の座標系の座標に変換してよい。
【００５３】
前記処理は表示装置上で提示するための、カーソルを伴うメニューの出力をさらに含む（動作９０６）。カーソルの位置は位置情報に基づいて得られる。このように、ユーザが移動通信装置を動かすにつれ、画面上に表示されるカーソルは移動通信装置の位置に符合するように動くであろう。
【００５４】
前記処理は、移動通信装置からのユーザ入力の受信をさらに含む（動作９０８）。少なくとも一つの実施形態において、ユーザ入力は娯楽機器によって提示されるコンテンツの再生操作を要求する。ユーザは、図８の動作８０２で前記したように、情報を移動通信装置に入力し、娯楽機器は、図８の動作８０８で前記したのと同様に、無線送信処理においてそのユーザ入力を受信してよい。前記処理はそのユーザ入力に基づくコンテンツの再生操作をさらに含む（動作８０８）。このようにしてユーザは、娯楽機器のリモコンではなく移動通信装置を使ってコンテンツの再生を変更することができる。
【００５５】
図１０は視聴データに基づく、ユーザのソーシャルネットワークプロフィールを付加する（ポピュレートする）ための処理の実施形態を示す。より詳しくは、図１０はユーザが移動通信装置を使って娯楽機器を遠隔操作する場合にそのユーザのプロフィールを付加するための処理を示す。図１０の処理の動作は全て含まれてなくともよく、簡単のために図示されない他の動作を含んでもよい。
【００５６】
この処理は表示装置上に提示するためのコンテンツの出力を含む（動作１００２）。動作１００２は、図８の動作８０２で説明したように実行されてよい。前記処理は、娯楽機器によって提示されるコンテンツの再生操作を要求する、移動通信装置からのユーザ入力の受信をさらに含む（動作１００４）。ユーザ入力により、チャンネル変更、音量変更、ライブまたは記録されたコンテンツの一時停止等、如何なる種類のコンテンツの操作も要求されてよい。
【００５７】
前記処理は移動通信装置からのユーザ識別データの受信をさらに含む（動作１００６）。識別データは、ユーザを個別またはグループの一員として識別するいかなる種類の情報であってもよい。例えば、識別データによりユーザをあるグループの一員として、または特定の特徴（例えば１８〜４０歳の男性）を備えるとして識別されてよい。識別データは、様々な手法を使って収集されてよい。例えば、識別データは、移動通信装置のユーザのアカウント情報に基づいて収集されてよい。また識別データは、調査または他の照会に対するユーザレスポンスに基づいて収集されてもよい。少なくとも一つの実施形態において、識別データはソーシャルネットワークにおけるユーザのユーザネームまたはアカウント番号を含んでよい。いくつかの実施形態においては、識別データは移動通信装置からの各コマンドと共に送信されてよい。識別データは最初のコマンドと共に視聴セッションの間、または視聴セッションの間に定期的に送信されてよい。前記処理はユーザ入力に基づくコンテンツの再生操作をさらに含む（動作１００８）。コンテンツの操作は図８の動作８１０で説明したように実行されてよい。
【００５８】
前記処理は、ユーザ入力に基づくユーザのソーシャルネットワークプロフィールの付加をさらに含む（動作１０１０）。例えば、娯楽機器がユーザが番組を視聴するためにチャンネルを変更したと判別する場合、その特定の番組を現在見ている、ユーザの友人リストのメンバーに対してメッセージを表示してよい。これにより、友人たちは同様にその番組にチャンネルを合わせるか、または友人リストに表示されたメッセージに基づいて、その特定の番組の間は前記ユーザを邪魔しないようすることを知ることとなってよい。このプロフィール更新メッセージ機能は娯楽機器によって自動的に実行されてよく、またはユーザの入力に応じて実行されてよい。例えば、ユーザは移動通信装置の特定のキーを押して娯楽機器上におけるプロフィール更新機能を起動してよい。
【００５９】
少なくとも一つの実施形態において、娯楽機器は、娯楽機器に通信可能に接続されたデータネットワークを介して、アプリケーションサーバーと通信してよい。例えば、娯楽機器はブロードバンドネットワークに接続されてよく、そのブロードバンドネットワークを介してアプリケーションサーバーにデータを送信してよい。他の実施形態においては、娯楽機器は移動通信装置を介してアプリケーションサーバーと通信してよい。すなわち、移動通信装置は娯楽機器からデータを受信し、そのデータを無線ネットワークを介してアプリケーションサーバーに送信する。
【００６０】
少なくとも一つの実施形態において、娯楽機器はユーザがある一定期間に頻繁に視聴する番組をリストアップ（タビュレート）し、応答的にそのリストアップした情報に基づいてユーザのソーシャルネットワークプロフィールを更新してよい。例えば、娯楽機器はユーザが特定の番組の毎回の放送を視聴すると識別してもよく、この情報を反映するためにユーザのソーシャルネットワークプロフィールにおける好みの番組に関する部分を応答的に更新してよい。
【００６１】
少なくとも一つの実施形態において、各回または視聴セッションの後に、保存しさらに更新するためにリストアップされた情報が娯楽機器から移動通信装置に送信されてよい。これにより、ユーザが複数の娯楽機器を使ってビデオコンテンツを定期的に視聴する場合、移動通信装置はそのユーザが視聴した番組に基づいて各視聴セッションの間に、リストアップされたデータを更新のために娯楽機器に与えることができる。このように、リストアップされる情報は、異なる視聴セッションの間に、複数の娯楽機器にわたる視聴に基づいて取りまとめられる。
【００６２】
娯楽機器に収集されたデータは、ＴＶ番組に関する視聴者情報の取りまとめ等、他の目的に使用されてよい。図１１はビデオ番組に関する視聴者情報を集計するための処理の実施形態を示す。図１１の処理の動作は全て含まれていなくてもよく、簡単のため図示されない他の動作を含んでもよい。
【００６３】
この処理は、娯楽機器上でのコンテンツの再生操作を要求するユーザ入力の受信（受け付け）を含む（動作１１０２）。この動作１１０２は、図８の動作８０２と同じ様に実行されてよい。少なくとも一つの実施形態において、ユーザ入力は移動通信装置によって受信され、処理のために娯楽機器に送信される。前記処理は、ユーザの識別データの受信をさらに含む（動作１１０４）。この動作１１０４は、図１０の動作１００６で説明したように実行されてよい。
【００６４】
前記処理は識別データに基づいた、コンテンツに関する視聴者情報の生成をさらに含む（動作１１０６）。尚、視聴者情報は、ユーザの視聴の特徴に関する如何なる種類の情報も含んでもよいことは認識されよう。例えば、視聴者情報によって、特定の日に特定の番組を見た年齢１８−４０歳の男性を識別してよい。視聴者情報はさらに、ユーザがコマーシャルまで番組を視聴し、その番組に戻るまでに２分間他のチャンネルを視聴していたといった部分情報（グラニュラリティ）をさらに含んでよい。
【００６５】
前記処理はアプリケーションサーバーへの視聴者情報の送信をさらに含む（動作１１０８）。少なくとも一つの実施形態において、娯楽機器は、娯楽機器に通信可能に接続されたデータネットワークを使用して視聴者情報を送信してよい。他の実施形態において、視聴者情報は、移動通信装置を介してアプリケーションサーバーに送信されてよい。このように、移動通信装置は視聴者情報のバックチャンネルとして動作してよい。よって、アプリケーションサーバーは視聴者情報を使用して、ビデオ番組に関するレポートおよび他の情報を生成してよい。
【００６６】
図１２は娯楽機器によって提示されるコンテンツを出力するための処理の実施形態を示す。さらに詳しくは、図１２はユーザが移動通信装置に入力したコマンドに基づいて、娯楽機器によるビデオコンテンツの再生を操作するための処理を示す。図１２の処理の動作は全て含まれていなくてもよく、簡単のため図示されない他の動作を含んでもよい。
【００６７】
この処理は娯楽機器における、移動通信装置からの、娯楽機器による提示コンテンツの出力を要求するユーザ入力の受信を含む（動作１２０２）。少なくとも一つの実施形態において、ロックされ、ユーザ入力によりユーザが認証された時のみ使用可能な提示コンテンツの娯楽機器による出力を要求してよい。例えば、ユーザ入力はコンテンツの特定のチャンネルの出力を要求してよい。また、ユーザ入力は一時停止、早送り、巻き戻し、音量変更等、提示コンテンツの操作を要求してよい。
【００６８】
前記処理は娯楽機器における、移動通信装置からの識別データの受信（受け付け）をさらに含む（動作１２０４）。識別データにより移動通信装置のユーザが識別される。識別データは、移動通信装置によって送信されるユーザ入力で与えられるか、または、例えば娯楽機器からの照会に応じるなど別個に与えられてよい。
【００６９】
前記処理は、識別データに基づく、娯楽機器におけるユーザの認証をさらに含む（動作１２０６）。少なくとも一つの実施形態において、娯楽機器は識別データと自身に保存された情報とを比較してユーザを認証する。他の実施形態においては、娯楽機器はユーザを認証するために外部ソースに照会をしてよい。ユーザ入力がロックされた提示コンテンツへのアクセスを要求する場合、娯楽機器はユーザの認証に応じて、ロックされた提示コンテンツへのアクセスを行わせる。与えられた識別データが正しくないかまたはユーザがコンテンツへのアクセスを許可されていないためにユーザが認証されない場合、娯楽機器は何らかの種類のエラーメッセージまたは他の通知をユーザに行う。
【００７０】
前記処理はユーザの認証に応じた、ユーザ入力に基づく提示装置上での提示コンテンツの出力をさらに含む（動作１２０８）。少なくとも一つの実施形態において、娯楽機器は表示装置と統合される。例えば、娯楽機器はＴＶであってよい。このように、提示コンテンツの出力は画面上にコンテンツを表示するビデオコントローラへコンテンツを渡すことを含む。他の実施形態においては、娯楽機器は、セットトップボックス等の娯楽機器とは別個であってよい。このように、コンテンツの出力は、別個の提示装置へ送信するためのビデオ信号の出力を含んでよい。
【００７１】
図１３は娯楽機器による、ロックされた提示コンテンツを出力する処理の実施例を示す。図１３の処理の動作は全て含まれていなくてもよいし、簡単のため図示されない他の動作を含んでもよい。
【００７２】
前記処理は娯楽機器における、移動通信装置からのユーザ入力の受信を含む（動作１３０２）。ユーザ入力により、娯楽機器を介して利用可能なロックされた提示コンテンツの提示が要求される。例えば、ユーザ入力によってセットトップボックスの特定のロックされたチャンネルの提示を要求するか、またはＰＰＶあるいはＶＯＤビデオの提示を要求してよい。
【００７３】
前記処理は娯楽機器における、移動通信装置からの識別データの受信をさらに含む（動作１３０４）。識別データにより移動通信装置のユーザが識別される。少なくとも一つの実施形態において、移動通信装置のユーザは娯楽機器の登録されたユーザでもある。例えば、ユーザは娯楽機器にアカウントを持ってよい。他の実施形態において、移動通信装置のユーザは娯楽機器の登録されたユーザでなくてもよい。例えば、ユーザは娯楽機器を所有する家のゲストまたは訪問者であってよい。
【００７４】
前記処理は、アプリケーションサーバーへの識別データの送信をさらに含む（動作1３０６）。識別データは、ロックされた提示コンテンツにアクセスするためのユーザの認証のためにアプリケーションサーバーに送信される。娯楽機器は、通信可能に接続されたデータネットワークを介して識別データをアプリケーションサーバーに送信するか、移動通信装置を介して識別データをアプリケーションサーバーに送信してよい。例えば娯楽機器はユーザ入力と識別データに基づいて要求を生成し、その要求を移動通信装置に送信してよい。そして移動通信装置は、無線ネットワークを介してそのデータをアプリケーションサーバーに送信する。また、移動通信装置はアプリケーションサーバーからデータを受信し（例えば、認証要求に対するレスポンス）、さらなる処理のためにそのデータを娯楽機器に送信する。
【００７５】
前記処理は娯楽機器における、ロックされた提示コンテンツに対するユーザのアクセスを可能にする認証情報のアプリケーションサーバーからの受信をさらに含む（動作１３０８）。前記したように、娯楽機器は、データネットワークを介してアプリケーションサーバーと通信してよいし、または移動通信装置を介してアプリケーションサーバーと通信してよい。アプリケーションサーバーは、ロックされた提示コンテンツへのアクセスに対するユーザの課金等、認証情報を娯楽機器に送信する際に他の機能を実行してよい。
【００７６】
認証情報の受信に応じて、娯楽機器は提示装置上で提示するためのロックされたコンテンツを出力する（動作１３１０）。サーバからのレスポンスがユーザが提示コンテンツへのアクセスを許可されていないことを示している場合、次に娯楽機器はこの旨の通知をユーザに行う。
【００７７】
前記処理に対する一つの利点は、移動通信装置のユーザが娯楽機器のアカウントを持っているかどうかに関わらず、そのユーザが如何なる場所においてもＰＰＶコンテンツを注文してよいという事である。例えば、ＤＩＳＨネットワーク（登録商標）の利用者（加入者）は友人を訪ねている間にＰＰＶビデオの視聴を所望してよい。この利用者は自身の移動通信装置を使って娯楽機器を遠隔制御し、PPVビデオを注文する。娯楽機器はアプリケーションサーバーに要求を送信し、アプリケーションサーバーは利用者のビデオ注文の要求を認証する。そしてアプリケーションサーバーは、利用者がビデオのアクセスを許可されている事を示す認証レスポンスを娯楽機器に送信する。利用者はそのビデオを視聴し、この娯楽機器の持ち主ではなくその利用者のアカウントに対してＰＰＶの課金がなされる。このように、受信したコンテンツに対してゲストに直接課金されるので、ＰＰＶビデオを注文したゲストに生じる問題が避けられる。同様に、実際にはＤＩＳＨネットワーク（登録商標）に加入していなくても、ゲストの電話料金としてコンテンツに対して課金することも可能である。尚、他の手法を使って、識別データに基づきコンテンツへのアクセスに対してユーザに課金してよいことは認識されよう。
【００７８】
さらに、識別データを利用して、ユーザがホームショッピングの番組で買い物をできるようにしてもよい。例えば、ユーザは購入したい製品を視聴し、自身の移動通信装置を使って娯楽機器を制御し、その製品を購入してよい。娯楽機器は識別データを使ってアプリケーションサーバーに送信される注文を生成してよい。注文の受信に応じて、アプリケーションサーバーはユーザに課金し、製品の注文を完了する。
【００７９】
具体的な実施形態を本明細書中で説明したが、本発明の範囲はこれら特定の実施形態に限定されない。本発明の範囲は後述するクレーム（請求項）、およびその均等によって定義される。
【図１】
2011521490.tif 000003
【図２】
2011521490.tif 000004
【図３】
2011521490.tif 000005
【図４】
2011521490.tif 000006
【図５】
2011521490.tif 000007
【図６】
2011521490.tif 000008
【図７】
2011521490.tif 000009
【図８】
2011521490.tif 000010
【図９】
2011521490.tif 000011
【図１０】
2011521490.tif 000012
【図１１】
2011521490.tif 000013
【図１２】
2011521490.tif 000014
【図１３】
2011521490.tif 000015
【手続補正書】
【提出日】平成22年11月4日(2010.11.4)
【手続補正１】
【補正対象書類名】特許請求の範囲
【補正対象項目名】全文
【補正方法】変更
【補正の内容】
【特許請求の範囲】
【請求項１】
移動通信装置であって、
テレビ受信機によって提示するために出力されるコンテンツの再生操作を要求するユーザ入力を受信する入力装置と、
前記移動通信装置に関する位置情報を判別するモーションディテクタと、
前記入力装置と前記モーションディテクタとに通信可能に接続され、前記ユーザ入力と前記位置情報を前記テレビ受信機と互換性のあるコマンドに変換するプロセッサと、
前記コマンドを前記テレビ受信機であって、前記コマンドを使用してメニュー上にカーソルを出力し、前記テレビ受信機に通信可能に接続された表示装置上において前記コンテンツの再生を操作する前記テレビ受信機に送信する無線送信機と、
前記テレビ受信機からデータを受信する無線受信機と、
を備え、
前記無線送信機は前記データをアプリケーションサーバーに送信する、
ことを特徴とする移動通信装置。  
【請求項２】
前記入力装置は、前記テレビ受信機のための仮想リモコンを表示するタッチスクリーンを備える、
ことを特徴とする請求項１に記載の移動通信装置。
【請求項３】
前記無線受信機は、前記テレビ受信機による提示のために出力されるメニューに関するメニュー情報を前記テレビ受信機から受信し、
前記プロセッサは、前記メニュー情報に基づいて前記仮想リモコンをカスタマイズする、
ことを特徴とする請求項２に記載の移動通信装置。
【請求項４】
前記移動通信装置は、ユーザに関する識別データを、前記コマンドに対応して前記テレビ受信機に送信し、前記識別データは、視聴者情報を生成するために前記テレビ受信機によって使用される、
ことを特徴とする請求項１に記載の移動通信装置。
【請求項５】
前記移動通信装置は、ユーザに関する識別データを、前記コマンドに対応して前記テレビ受信機に送信し、前記識別データは、前記ユーザを認識し、ロックされた提示コンテンツへのアクセスを制御するために前記テレビ受信機によって使用される、
ことを特徴とする請求項１に記載の移動通信装置。
【請求項６】
さらに、
前記テレビ受信機から要求であって、前記ユーザ入力に基づいて前記ユーザのソーシャルネットワークプロフィールを付加するためにアプリケーションサーバーによって使用される情報を含む要求を受信する無線受信機、
を備え、
前記無線送信機は前記要求を前記アプリケーションサーバーに送信する、
ことを特徴とする請求項１に記載の移動通信装置。
【請求項７】
テレビ受信機を遠隔操作する方法であって、
テレビ受信機による提示のために出力されるコンテンツの再生操作を要求するユーザ入力を、移動通信装置を介して受信することと、
前記移動通信装置に関する位置情報を判別することと、
前記ユーザ入力と前記位置情報を、前記テレビ受信機と互換性のあるコマンドに変換することと、
前記コマンドを前記テレビ受信機であって、前記テレビ受信機は、前記コマンドを使用してメニュー上にカーソルを出力し、前記コンテンツの再生を操作する前記テレビ受信機に送信することであって、前記カーソルの位置は前記位置情報に基づくことと、
前記テレビ受信機からデータを受信することと、
前記データをアプリケーションサーバーに送信すること、
を備えることを特徴とする方法。
【請求項８】
さらに、
前記テレビ受信機から仮想リモコンをダウンロードすることと、
前記移動通信装置のタッチスクリーン上で前記仮想リモコンを表示すること、
を備え、
前記ユーザ入力は前記タッチスクリーンを使って入力される、
ことを特徴とする請求項７に記載の方法。
【請求項９】
さらに、
前記テレビ受信機から更新された仮想リモコンを受信すること、
を備え、
前記仮想リモコンは、前記テレビ受信機によって出力されるメニューに対応するように更新される、
ことを特徴とする請求項８に記載の方法。
【請求項１０】
さらに、
データを前記移動通信装置に送信すること、
を備え、
前記移動通信装置はさらに、前記データをアプリケーションサーバーに送信する、
ことを特徴とする請求項７に記載の方法。
【請求項１１】
さらに、
ユーザに関する識別データを、前記コマンドに対応して前記テレビ受信機に送信することと、
前記テレビ受信機によって生成された視聴者情報を前記識別情報に基づいて受信することと、
前記視聴者情報をアプリケーションサーバーに送信すること、
を備えることを特徴とする請求項７に記載の方法。
【請求項１２】
さらに、
認識データであって、前記移動通信装置のユーザに関する認識データを、前記移動通信装置から、前記テレビ受信機に送信することと、
前記ユーザを、前記テレビ受信機において、前記認識データに基づいて認識することと、
提示デバイス上に提示するために、前記ユーザを認識することに応答して、前記ユーザ入力に基づいて、前記提示コンテンツを出力すること、
を備えることを特徴とする請求項７に記載の方法。
【請求項１３】
さらに、
前記ユーザの前記ソーシャルネットワークプロフィールを、前記ユーザ入力に基づいて付与すること、
を備えることを特徴とする請求項７に記載の方法。
【請求項１４】
前記ユーザ入力に基づく前記ユーザのソーシャルネットワークプロフィールを付加することは、さらに、
前記識別データと前記ユーザ入力に基づいて、前記ユーザが頻繁に視聴するテレビ番組をリストアップすることと、
前記テレビ番組のリストと共に前記ソーシャルネットワークプロフィールを付加すること、
を備えることを特徴とする請求項１７に記載の方法。
【請求項１５】
前記ユーザ入力に基づく前記ユーザのソーシャルネットワークプロフィールを付加することは、さらに、
前記ユーザが現在テレビを視聴していることを示すメッセージと共に、前記ソーシャルネットワークプロフィールを付加すること、
を備えることを特徴とする請求項１７に記載の方法。
【請求項１６】
テレビ受信機であって、
番組ソースからテレビ番組を受信するチューナと、
移動通信装置と無線通信し、ユーザ入力と位置情報を前記移動通信装置から受信するインターフェースモジュールと
前記チューナに通信可能に接続され、前記ユーザ入力に基づいて表示装置上において前記番組の再生を操作し、前記表示装置上において提示するためのメニューを出力し、前記位置情報に基づいて前記メニューのカーソルを生成するプロセッサと、
を備え、
前記インターフェースモジュールは前記移動通信装置にデータを送信し、前記移動通信データは前記データをアプリケーションサーバーにさらに送信する、
ことを特徴とするテレビ受信機。
【請求項１７】
前記インターフェースモジュールは、前記移動通信装置による表示のために、前記移動通信装置に仮想リモコンを送信する、
ことを特徴とする請求項１６に記載のテレビ受信機。
【請求項１８】
前記インターフェースモジュールは前記ユーザに関する識別データを、前記コマンドに対応して前記移動通信装置から受信し、
前記プロセッサは、前記識別データに基づいて前記テレビ番組に関する視聴者情報を生成する、
ことを特徴とする請求項１６に記載のテレビ受信機。
【請求項１９】
前記インターフェースモジュールは前記ユーザに関する識別データを、前記コマンドに応じて前記移動通信装置から受信し、
前記プロセッサは前記識別データを使用して、前記ユーザ入力に基づいて前記ユーザのソーシャルネットワークプロフィールを付加する、
ことを特徴とする請求項１６に記載のテレビ受信機。
【請求項２０】
表示装置上にコンテンツを提示する方法であって、
表示装置上に提示するためにコンテンツを出力することと、
移動通信装置からユーザ入力を受信することと、
ユーザに関する識別データを、前記ユーザ入力に対応して前記移動通信装置から受信することと、
前記ユーザ入力に基づいて前記コンテンツの再生を操作することと、
前記ユーザ入力に基づいて、前記ユーザのソーシャルネットワークプロフィールを付加すること、
を備えることを特徴とする方法。
【請求項２１】
前記ユーザ入力に基づく前記ユーザのソーシャルネットワークプロフィールを付加することは、さらに、
前記識別データと前記ユーザ入力に基づいて、前記ユーザが頻繁に視聴するテレビ番組をリストアップすることと、
前記テレビ番組のリストと共に前記ソーシャルネットワークプロフィールを付加すること、
を備えることを特徴とする請求項２０に記載の方法。
【請求項２２】
前記ユーザ入力に基づく前記ユーザのソーシャルネットワークプロフィールを付加することは、さらに、
前記ユーザが現在テレビを視聴していることを示すメッセージと共に、前記ソーシャルネットワークプロフィールを付加すること、
を備えることを特徴とする請求項２０に記載の方法。
【国際調査報告】
2011521490.tif 000016
2011521490.tif 000017
2011521490.tif 000018
2011521490.tif 000019